(57)【要約】【課題】  湿布薬を手の届かない患部に一人で簡単に貼ることができる吸引式の湿布薬貼り補助具を提供する。【解決手段】湿布薬貼り補助具は、一端部に電気掃除機（４）の管接続口（１４）に脱着自在に連結可能な接続パイプ（２０）が設けられた所定の長さを有する可撓管（１８）と、一端部が可撓管（１８）の他端部に連結するパイプ型把手（１６）と、吸引ボックス（２２）とで構成されている。吸引ボックス（２２）の下面部材（２２ｂ）には軟質弾力材（３２）が接着され、該軟質弾力材（３２）の平坦面に複数の吸引穴（３０）が開口し、軟質弾力材（３２）の平坦面に電気掃除機（４）の吸引力により湿布薬を接着することができる。吸引ボックス（２２）の上面部材（２２ａ）はパイプ型把手（１６）の他端に回転可能に連結されている。【選択図】  図１
2019088462.tif 000002
【特許請求の範囲】
【請求項１】
一端部に電気掃除機（４）の管接続口（１４）に脱着自在に連結可能な接続パイプ（２０）が設けられた所定の長さを有する可撓管（１８）と、一端部が前記可撓管（１８）の他端部に連結するパイプ型把手（１６）と、上面部材（２２ａ）と複数の吸引穴（３０）が形成された下面部材（２２ｂ）との間に空気室を有し、下面部材（２２ｂ）に所定の厚さを有し、平坦面が形成された軟質弾力材（３２）が接着され、該軟質弾力材（３２）に複数の前記空気室に連通する吸引穴（３０）が形成され、前記上面部材（２２ａ）が前記パイプ型把手（１６）の他端に連結する吸引ボックス（２２）とを備え、前記パイプ型把手（１６）の他端に該把手（１６）の長手方向に対して直角方向に屈折したボックス取付部（１６ａ）を設け、該ボックス取付部（１６ａ）に前記吸引ボックス（２２）の上面部材（２２ａ）を該ボックス取付部（１６ａ）を中心として回転可能に連結し、前記軟質弾力材（３２）の平坦面に電気掃除機（４）の吸引力により湿布薬を接着できるようにしたことを特徴とする吸引式湿布薬貼り補助具。
【請求項２】
前記パイプ型把手（１６）の管壁に空気孔（２４）を設け、該空気孔（２４）を前記管壁にスライド自在に設けた蓋体（２６）により開閉可能としたことを特徴とする請求項１に記載の吸引式湿布薬貼り補助具。
【請求項３】
前記ボックス取付部（１６ａ）に対して前記吸引ボックス（２２）の上面部材（２２ａ）を脱着可能とし、湿布薬の大きさに応じて異なる大きさの複数の吸引ボックス（２２）を用意したことを特徴とする請求項１に記載の吸引式湿布薬貼り補助具。
【請求項４】
前記可撓管（１８）の全長を５０センチメートル以上としたことを特徴とする請求項１に記載の吸引式湿布薬貼り補助具。
【発明の詳細な説明】
【技術分野】
【０００１】
本発明は、電気掃除機の吸引力を利用した吸引式湿布薬貼り補助具に関する。
【背景技術】
【０００２】
従来、電気掃除機、コンプレッサー等の吸引機の吸引力を利用した湿布貼り具が知られている（例えば特許文献１参照）。
【先行技術文献】
【特許文献】
【０００３】
【特許文献１】特開２０１１−２５５１３１号公報
【発明の概要】
【発明が解決しようとする課題】
【０００４】
従来の、吸引機の吸引力を利用した湿布貼り具は、椅子や壁や柱などにメッシュパネルや金属板を介して湿布貼り具本体を取り付け、この湿布貼り具に接着した湿布薬に患部を移動させる方式となっている。
しかるに、患部を湿布貼り具の配置位置に正確に移動するのは容易でなく、そのため、手の届かない患部に湿布薬を正確に貼り付けることが容易でなかった。
本発明は上記問題点を解決することを目的とする。
【課題を解決するための手段】
【０００５】
上記目的を達成するため、本発明は、一端部に電気掃除機（４）の管接続口（１４）に脱着自在に連結可能な接続パイプ（２０）が設けられた所定の長さを有する可撓管（１８）と、一端部が前記可撓管（１８）の他端部に連結するパイプ型把手（１６）と、上面部材（２２ａ）と複数の吸引穴（３０）が形成された下面部材（２２ｂ）との間に空気室を有し、下面部材（２２ｂ）に所定の厚さを有し、平坦面が形成された軟質弾力材（３２）が接着され、該軟質弾力材（３２）に複数の前記空気室に連通する吸引穴（３０）が形成され、前記上面部材（２２ａ）が前記パイプ型把手（１６）の他端に連結する吸引ボックス（２２）とを備え、前記パイプ型把手（１６）の他端に該把手（１６）の長手方向に対して直角方向に屈折したボックス取付部（１６ａ）を設け、該ボックス取付部（１６ａ）に前記吸引ボックス（２２）の上面部材（２２ａ）を該ボックス取付部（１６ａ）を中心として回転可能に連結し、前記軟質弾力材（３２）の平坦面に電気掃除機（４）の吸引力により湿布薬を接着できるようにしたことを特徴とする。
また本発明は、前記パイプ型把手（１６）の管壁に空気孔（２４）を設け、該空気孔（２４）を前記管壁にスライド自在に設けた蓋体（２６）により開閉可能としたことを特徴とする。
また本発明は、前記ボックス取付部（１６ａ）に対して前記吸引ボックス（２２）の上面部材（２２ａ）を脱着可能とし、湿布薬の大きさに応じて異なる大きさの複数の吸引ボックス（２２）を用意したことを特徴とする。
また本発明は、前記可撓管（１８）の全長を５０センチメートル以上としたことを特徴とするものである。
【発明の効果】
【０００６】
本発明は、所要の長さの可撓管と把手を用い、把手に対して吸引ボックスの向きを自由に変更可能とすることで、湿布薬を保持させた吸引ボックスを、人の手の届かない患部に自由に移動させることができ、一人での湿布薬の貼り付けを容易且つ正確に行うことができる。
【図面の簡単な説明】
【０００７】
【図１】全体説明図である。
【図２】吸引ボックスの平面説明図である。
【図３】吸引ボックスの断面説明図である。
【図４】吸引ボックスの底面説明図である。
【図５】本発明の説明図である。
【図６】接続パイプの断面説明図である。
【発明を実施するための形態】
【０００８】
以下に本発明の構成を添付した図面を参照して詳細に説明する。
図１は、本発明に係る吸引式湿布薬貼り補助具２を、電気掃除機４に連結した使用状態を示している。
本発明に係る湿布薬貼り補助具２に使用される電気掃除機４は、市販の一般的な構成のものであり、電気掃除機４の本体のホース接続口６に屈曲自在なホース８が接続用の管体を介して脱着可能に接続されている。
【０００９】
ホース８の先端には、手元ハンドル管１０が連結され、該手元ハンドル管１０にはグリップが設けられている。グリップには電源の入力等、電気掃除機４の操作を行うための操作部１２が設けられている。
手元ハンドル管１０の、掃除機の延長管用の接続口１４には、本発明に係る湿布薬貼り補助具２のパイプ型把手１６に連結する可撓管１８が接続パイプ２０を介して、脱着可能に連結している。
【００１０】
可撓管１８の一端には、把手１６の後端が連結し、可撓管１８の他端には、接続パイプ２０が連結している。可撓管１８の全長は、使い勝手を考慮して５０センチメートル乃至１．５メートルに設定することが望ましい。本実施形態では、９０センチメートルに設定している。可撓管１８は、電気掃除機４のホース８に比し、軽量で小径なフレキシブルチューブにより構成されている。
【００１１】
接続パイプ２０の、電気掃除機の管接続口１４との接続構造は、電気掃除機４の延長管（図示省略）と、管接続口１４との接続構造と同一に構成されている。尚、市販の種々の電気掃除機の管接続口１４に接続パイプ２０の端部を連結できように、接続パイプ２０の端部の外周部が先細りの形状となっている。尚、接続パイプ２０と接続口１４との結合用にアダプター（図示省略）を用意しても良い。
【００１２】
把手１６の先端側には、図３に示すように該把手１６の長手方向に対して９０度に屈折した、フランジ付きの吸引ボックス取付部１６ａが形成され、該吸引ボックス取付部１６ａに、吸引ボックス２２の上面部材２２ａが回転可能に連結している。
把手１６の管壁には、空気孔２４が設けられ、該空気孔２４は、管壁にスライド自在に取り付けられたスライダから成る蓋体２６によって手操作で開閉できるように構成されている。
【００１３】
把手１６のボックス取付部１６ａの端部と、吸引ボックス２２の上面部材２２ａの中央に形成された管状部２２ｃとは、互いに合接した状態でキャップ２８により結合されている。キャップ２８の内径部には、ねじが形成され、該ねじが管状部２２ｃの外周部のねじに螺合し、キャップ２８は、管状部２２ｃとボックス取付部１６ａの端部の合接部に適宜の摩擦力を付与している。なお、キャップ２８を管状部２２Ｃにきつくねじ込むことで、吸引ボックス２２を任意の角度で把手１６側に固定することができる。
【００１４】
吸引ボックス２２の下面部材２２ｂには、可撓管１８と連通する複数の吸引穴３０が透設されている。また、下面部材２２ｂには、所定の厚さのスポンジやゴムなどのクッション材からなる厚板状の軟質弾力材３２が固着され、該軟質弾力材３２には、下面部材２２ｂの吸引穴３０に対向する位置に略同径の吸引穴３３が設けられている。
【００１５】
吸引ボックス２２の下面部材２２ｂ及び軟質弾力材３２の輪郭形状は、使用する非正方形状の湿布薬の形状と略同形の矩形形状に形成され、下面部材２２ｂの下面の面積は湿布薬よりも若干大きく設定されている。吸引ボックス２２の内部は、所定の容積の空気室が形成されている。軟質弾力材３２の開放面は、平滑面を構成し、該平滑面は、吸引穴３０が開口する湿布薬吸着面３２ａを構成している。
【００１６】
次に、本発明に係る湿布薬貼り補助具２の使用方法について説明する。
まず、使用する電気掃除機４の手元ハンドル１０の連結解除ボタンを押し、手元ハンドル１０から延長管を引き抜き、延長管用の接続口１４に可撓管１８の一端の接続パイプ２０を嵌合し、可撓管１８を手元ハンドル１０の接続口１４に連結する。
【００１７】
次に、使用する湿布薬３４のサイズに応じて複数用意した吸引ボックス２２の中から、１つの吸引ボックス２２を選択し、キャップ２８を管状部２２ｃにねじ込んで、選択した吸引ボックス２２をパイプ型把手１６に連結する。このとき、把手１６の空気孔２４は、蓋体２６を操作して閉じておく。  
【００１８】
次に、電気掃除機４の電源スイッチをＯＮとして、電気掃除機４の吸引力により、吸引ボックス２２の湿布薬吸着面３２ａに吸引力を発生させる。該状態で、次に、湿布薬３４の保護フィルムをはがし、湿布薬３４のテープ面を吸引ボックス２２の湿布薬吸着面３２ａに配置し、吸着させる。
次に、湿布薬３４を患部に縦長状態で貼るか、あるいは横長状態で貼るかに応じて吸引ボックス２２を、把手１６に対して管状部２２ｃを中心として回転させ、吸引ボックス２２の向きを、把手１６に対して所望の角度に調整する。
【００１９】
次に、使用者は、把手１６を手で持ち、背中などの所望の位置に、吸引ボックス２２の湿布薬の付いた湿布薬吸着面３２ａを移動させ、貼りたい部位に湿布薬吸着面３２ａを押しつけ、湿布薬３４を患部に貼り付ける。湿布薬が患部に貼り付いたところで、湿布薬吸着面３２ａを患部に押しつけたまま、手元の蓋体２６を操作し、空気孔２４を開いて、湿布薬吸着面３２ａの湿布薬３４に対する吸引力を解除し、湿布薬３４を患部に残して吸引ボックス２２を患部から離し、湿布薬貼り付け動作を完了する。
【符号の説明】
【００２０】
２      湿布薬貼り補助具
４      電気掃除機
６      接続口
８      ホース
１０    手元ハンドル管
１２    操作部
１４    接続口
１６    パイプ型把手
１６ａ  ボックス取付部
１８    可撓管
２０    接続パイプ
２２    吸引ボックス
２２ａ  上面部材
２２ｂ  下面部材
２２ｃ  管状部
２４    空気孔
２６    蓋体
２８    キャップ
３０    吸引穴
３２    軟質弾力材
３２ａ  接着面
３３    吸引穴
３４    湿布薬
【図１】
2019088462.tif 000003
【図２】
2019088462.tif 000004
【図３】
2019088462.tif 000005
【図４】
2019088462.tif 000006
【図５】
2019088462.tif 000007
【図６】
2019088462.tif 000008